(57)【要約】【課題】コード情報を用いた電子請求書を取得するユーザへの負担を軽減する。【解決手段】請求情報受信部１１は請求情報を受信し、請求受付画面送信部１２は請求情報に基づいて請求受付画面を生成して携帯電話機２０に送信し、配信依頼受信部１３はメール配信依頼を携帯電話機２０から受信し、請求情報記憶部１４は請求情報を請求情報データベースに登録し、メール配信部１５は電子請求書取得用メールを生成して携帯電話機２０に送信し、受付完了通知送信部１６は請求情報の受付完了通知を加盟店サーバ３０に送信し、ダウンロード要求受信部１７はダウンロード要求および請求番号を携帯電話機２０から受信し、二次元コード生成部１８は請求情報データベースから抽出した請求情報に基づいて二次元コードを生成し、電子請求書送信部１９は二次元コードを用いた電子請求書を携帯電話機２０に送信する。【選択図】  図１
2004258763.tif 000002
【特許請求の範囲】
【請求項１】
代金の支払いに関する請求情報を含むコード情報を用いた電子請求書を取得させるためのアドレス情報を、当該電子請求書を必要とする移動通信端末に送信するアドレス情報送信手段と、
前記アドレス情報に対応するアドレスにアクセスした移動通信端末から、前記電子請求書のダウンロードを要求するダウンロード要求を受信するダウンロード要求受信手段と、
前記ダウンロード要求を送信した移動通信端末に対応する請求情報に基づいて前記コード情報を生成するコード情報生成手段と、
前記生成されたコード情報を用いた電子請求書を前記移動通信端末に送信する電子請求書送信手段とを備えることを特徴とする電子請求書発行装置。
【請求項２】
前記請求情報を受信する請求情報受信手段をさらに備え、
前記アドレス情報送信手段は、前記アドレス情報を、前記請求情報受信手段により受信された請求情報に対応する前記移動通信端末に送信することを特徴とする請求項１記載の電子請求書発行装置。
【請求項３】
前記請求情報を受信する請求情報受信手段と、
前記移動通信端末を特定するための端末特定情報を、当該移動通信端末以外の端末から受信する端末特定情報受信手段とをさらに備え、
前記アドレス情報送信手段は、前記アドレス情報を、前記端末特定情報受信手段により受信された端末特定情報に対応する前記移動通信端末に送信することを特徴とする請求項１記載の電子請求書発行装置。
【請求項４】
前記請求情報を一意に特定する請求識別コードに対応付けて前記請求情報を記憶させる記憶手段をさらに備え、
前記アドレス情報送信手段は、前記アドレス情報に加えて、前記請求識別コードを送信し、
前記ダウンロード要求受信手段は、前記ダウンロード要求に加えて、前記請求識別コードを受信し、
前記生成手段は、前記ダウンロード要求受信手段により受信された請求識別コードに基づいて前記記憶手段により記憶された請求情報を抽出し、当該抽出した請求情報に基づいてコード情報を生成することを特徴とする請求項１〜３のいずれか１項に記載の電子請求書発行装置。
【請求項５】
前記アドレス情報送信手段は、前記アドレス情報をメールに含めて送信することを特徴とする請求項１〜４のいずれか１項に記載の電子請求書発行装置。
【請求項６】
前記アドレス情報送信手段により前記アドレス情報が送信されたことを示すメッセージを前記代金の請求側に通知する通知手段をさらに備えることを特徴とする請求項１〜５のいずれか１項に記載の電子請求書発行装置。
【請求項７】
前記コード情報は、二次元コードであることを特徴とする請求項１〜６のいずれか１項に記載の電子請求書発行装置。
【請求項８】
コンピュータを、
代金の支払いに関する請求情報を含むコード情報を用いた電子請求書を取得させるためのアドレス情報を、当該電子請求書を必要とする移動通信端末に送信するアドレス情報送信手段と、
前記アドレス情報に対応するアドレスにアクセスした移動通信端末から、前記電子請求書のダウンロードを要求するダウンロード要求を受信するダウンロード要求受信手段と、
前記ダウンロード要求を送信した移動通信端末に対応する請求情報に基づいて前記コード情報を生成するコード情報生成手段と、
前記生成されたコード情報を用いた電子請求書を前記移動通信端末に送信する電子請求書送信手段として機能させるためのプログラム。
【発明の詳細な説明】
【０００１】
【発明の属する技術分野】
本発明は、電子請求書発行装置およびプログラムに関する。
【０００２】
【従来の技術】
最近、ユーザが購入した商品やサービスに対する代金を決済する方法として、請求情報が含まれたバーコードや二次元コード等のコード情報が表示された電子請求書により決済する方法が用いられるようになった。この決済の流れについて具体的に説明すると、まず、ユーザがパソコンまたは携帯電話機を操作して、インターネット・ショッピングモールの加盟店側サイトにログインし、購入する商品等を決定する。次に、ユーザは決定した商品等に対する代金の支払方法としてコンビニエンス等での現金決済を選択する。ユーザは、電子請求書が格納されている場所を示すＵＲＬ（Ｕｎｉｆｏｒｍ  Ｒｅｓｏｕｒｃｅ  Ｌｏｃａｔｏｒ）が表示された画面を加盟店側サイトから取得する。なお、この電子請求書には、商品の支払い代金に関する請求情報が含まれたコード情報が表示されている。次に、ユーザがパソコンまたは携帯電話機を操作して、ＵＲＬで指定されたアドレスにアクセスすると、パソコンまたは携帯電話機の画面上に電子請求書がダウンロードされ、表示される。
ユーザは、この表示された電子請求書を携帯電話機に格納させるか紙に印刷する。次に、ユーザが、電子請求書を格納した携帯電話機または電子請求書を印刷した紙をコンビニエンスストアに持参する。コンビニエンスストア側では、コードリーダーにより電子請求書に表示されているコード情報を読み取り、このコード情報に含まれる請求情報を取得する。そして、ユーザが請求情報に含まれる請求金額をコンビニエンスストア側に支払うことにより、ユーザが購入した商品等に対する代金の決済が行われる。
【０００３】
ところで、下記特許文献１には、バーコードを表示した電子請求書を携帯電話機の画面上に表示させ、この電子請求書を利用してユーザが購入した商品の代金を決済する技術が開示されている。しかしながら、特許文献１に開示されている電子請求書は、売買の成立時に売主側からの指示により発行されるものであり、買主側であるユーザが電子請求書を再度発行させることまでは特許文献１に開示されていない。したがって、発行された電子請求書を誤って削除するか、電子請求書の有効期限が経過する等して、再度電子請求書を取得しなければならないような場合には問題がある。
【０００４】
これに対して、上述したインターネットショッピング等により採用されている電子請求書による決済方法では、買主側は、上述したＵＲＬで指定されたアドレスにアクセスすることにより何度でも電子請求書を取得することができる。
【０００５】
【特許文献１】
特開２００１−３１９１６７号公報
【０００６】
【発明が解決しようとする課題】
ところが、上述したＵＲＬで指定されたアドレスにアクセスするためには、ユーザは加盟店側サイトに再度ログインする操作からやり直し、ＵＲＬが表示された画面まで順次画面を移動させなければならない。このため、ユーザに負担をかけてしまうという問題があった。また、代金の支払い期限等をパソコンまたは携帯電話機の画面上で再度確認する場合にも、同様に加盟店側サイトにログインして、画面を順次移動させなければならず、ユーザに負担をかけていた。
【０００７】
そこで、本発明は、上述した課題を解決するために、コード情報を用いた電子請求書を取得するユーザへの負担を軽減させることができる電子請求書発行装置およびプログラムを提供することを目的とする。
【０００８】
【課題を解決するための手段】
本発明の電子請求書発行装置は、代金の支払いに関する請求情報を含むコード情報を用いた電子請求書を取得させるためのアドレス情報を、当該電子請求書を必要とする移動通信端末に送信するアドレス情報送信手段と、アドレス情報に対応するアドレスにアクセスした移動通信端末から、電子請求書のダウンロードを要求するダウンロード要求を受信するダウンロード要求受信手段と、ダウンロード要求を送信した移動通信端末に対応する請求情報に基づいて前記コード情報を生成するコード情報生成手段と、生成されたコード情報を用いた電子請求書を移動通信端末に送信する電子請求書送信手段とを備えることを特徴とする。
【０００９】
また、本発明のプログラムは、コンピュータを、代金の支払いに関する請求情報を含むコード情報を用いた電子請求書を取得させるためのアドレス情報を、当該電子請求書を必要とする移動通信端末に送信するアドレス情報送信手段と、アドレス情報に対応するアドレスにアクセスした移動通信端末から、電子請求書のダウンロードを要求するダウンロード要求を受信するダウンロード要求受信手段と、ダウンロード要求を送信した移動通信端末に対応する請求情報に基づいてコード情報を生成するコード情報生成手段と、生成されたコード情報を用いた電子請求書を移動通信端末に送信する電子請求書送信手段として機能させることを特徴とする。
【００１０】
これらの発明によれば、電子請求書を取得させるためのアドレス情報を、電子請求書を必要とする移動通信端末に送信することにより、当該アドレス情報に対応するアドレスにアクセスした移動通信端末に対してコード情報を用いた電子請求書を送信することができる。したがって、移動通信端末のユーザは、アドレス情報を取得した後は、移動通信端末をこのアドレス情報に対応するアドレスにアクセスさせることにより、コード情報を用いた電子請求書を取得することができる。これにより、コード情報を用いた電子請求書を取得するユーザへの負担を軽減させることができる。
【００１１】
本発明の電子請求書発行装置は、請求情報を受信する請求情報受信手段をさらに備え、アドレス情報送信手段は、アドレス情報を、請求情報受信手段により受信された請求情報に対応する移動通信端末に送信させることが好ましい。
【００１２】
これらの発明によれば、電子請求書を取得させるためのアドレス情報を、請求情報に対応する移動通信端末に送信することができ、当該アドレス情報に対応するアドレスにアクセスした移動通信端末に対してコード情報を用いた電子請求書を送信することができる。したがって、移動通信端末のユーザは、アドレス情報を取得した後は、移動通信端末をこのアドレス情報に対応するアドレスにアクセスさせることにより、コード情報を用いた電子請求書を取得することができる。これにより、コード情報を用いた電子請求書を取得するユーザへの負担を軽減させることができる。
【００１３】
本発明の電子請求書発行装置は、請求情報を受信する請求情報受信手段と、移動通信端末を特定するための端末特定情報を、当該移動通信端末以外の端末から受信する端末特定情報受信手段とをさらに備え、アドレス情報送信手段は、アドレス情報を、端末特定情報受信手段により受信された端末特定情報に対応する移動通信端末に送信させることが好ましい。
【００１４】
この発明によれば、電子請求書を取得させるためのアドレス情報を、ユーザにより特定された移動通信端末に送信させることができ、当該アドレス情報に対応するアドレスにアクセスした移動通信端末に対してコード情報を用いた電子請求書を送信することができる。したがって、ユーザは、電子請求書を取得するように特定された移動通信端末でアドレス情報を取得した後は、移動通信端末をこのアドレス情報に対応するアドレスにアクセスさせることにより、コード情報を用いた電子請求書を取得することができる。これにより、コード情報を用いた電子請求書を取得するユーザへの負担を軽減させることができる。
【００１５】
本発明の電子請求書発行装置において、請求情報を一意に特定する請求識別コードに対応付けて請求情報を記憶させる記憶手段をさらに備え、アドレス情報送信手段は、アドレス情報に加えて、請求識別コードを送信し、ダウンロード要求受信手段は、ダウンロード要求に加えて、請求識別コードを受信し、生成手段は、ダウンロード要求受信手段により受信された請求識別コードに基づいて記憶手段により記憶された請求情報を抽出し、当該抽出した請求情報に基づいてコード情報を生成させることが好ましい。
【００１６】
このようにすれば、記憶手段により記憶された請求情報に基づいてコード情報が生成されるため、アドレス情報を取得した移動通信端末のユーザは、移動通信端末をこのアドレス情報に対応するアドレスにアクセスさせるたびに、コード情報を用いた電子請求書を取得することができる。したがって、コード情報を用いた電子請求書を取得するユーザへの負担を軽減させることができる。
【００１７】
本発明の電子請求書発行装置において、アドレス情報送信手段は、アドレス情報をメールに含めて送信させることが好ましい。
【００１８】
このようにすれば、ユーザはアドレス情報をメールで管理することができるため、移動通信端末をメールに含まれるアドレス情報に対応するアドレスにアクセスさせることにより、容易に電子請求書を取得することができる。
【００１９】
本発明の電子請求書発行装置において、アドレス情報送信手段によりアドレス情報が送信されたことを示すメッセージを代金の請求側に通知する通知手段をさらに備えることが好ましい。
【００２０】
このようなメッセージを受信することにより、代金の請求側は、電子請求書を取得するためのアドレス情報が代金の支払側に送信されたことを認識することができる。
【００２１】
本発明の電子請求書発行装置において、コード情報は、二次元コードであることが好ましい。
【００２２】
このようにすれば、請求情報を二次元コードで表すことができ、請求情報の内容を充実させることができる。
【００２３】
【発明の実施の形態】
以下、本発明に係る装置の各実施形態を図面に基づき説明する。なお、各図において、同一要素には同一符号を付して重複する説明を省略する。
【００２４】
［第１実施形態］
まず、本発明の第１実施形態について説明する。図１は、第１実施形態における通信システム１の構成を例示する図である。図１に示すように、通信システム１は、電子請求書発行装置１０と、携帯電話機２０と、加盟店サーバ３０を備える。電子請求書発行装置１０と携帯電話機２０は、移動通信網４０を介して接続され、電子請求書発行装置１０と加盟店サーバ３０は、インターネット５０を介して接続される。なお、携帯電話機２０と加盟店サーバ３０については、実際には複数の携帯電話機２０と加盟店サーバ３０が存在するが、図１においては図面が煩雑になることを防ぐために、所定の携帯電話機２０および加盟店サーバ３０のみを示している。
【００２５】
次に、図１に示された各装置およびシステムについて説明する。まず、図１に示される電子請求書発行装置１０は、通信システム１に含まれる電子請求書発行サイトを構成するシステムであり、携帯電話機２０から受信した電子請求書のダウンロード要求に基づいて請求情報を含む二次元コードを生成し、当該生成した二次元コードを用いた電子請求書を携帯電話機に対して発行するシステムである。ここで、請求情報とは、ユーザがインターネットショッピングにより購入した商品等の代金を、当該ユーザに対して請求するための情報である。なお、請求情報の具体的な内容については、後述する。また、本実施形態においては、コード情報の具体例として二次元コードを採用しているが、これに限られず、バーコード等のコード情報であってもよい。また、二次元コードとしては、例えば、ＱＲコードやＰＤＦ４１７がある。なお、二次元コードを採用することにより、バーコードを採用した場合に比して、より多くの情報を含めることができるため、請求情報の内容をより充実させることができる。なお、本実施形態における電子請求書発行装置１０は、単一のサーバにより構成されている。
【００２６】
携帯電話機２０は、自機が在圏する無線エリアをカバーする図示しない基地局と無線通信を行い、通話サービスあるいはパケット通信サービスを受ける移動通信端末である。なお、本実施形態における通信システム１では、移動通信端末の具体例として携帯電話機２０を記載しているが、これに限られず、簡易型携帯電話機（ＰＨＳ）や通信機能を有する携帯型情報端末（ＰＤＡ）等の移動通信端末であってもよい。
【００２７】
加盟店サーバ３０は、インターネットショッピングにより商品やサービス等を提供する企業側のサイト（加盟店側サイト）を管理するサーバ装置である。なお、このインターネットショッピングでは、二次元コードを用いた電子請求書による決済方法が採用されている。したがって、ユーザがインターネットショッピングにより当該企業から商品等を購入した場合には、二次元コードを用いた電子請求書を利用して決済することができる。
【００２８】
次に、図１を参照して電子請求書発行装置１０の機能構成を説明する。図１に示すように、電子請求書発行装置１０は、請求情報受信部１１と、請求受付画面送信部１２と、配信依頼受信部１３と、請求情報記憶部１４と、メール配信部１５と、受付完了通知送信部１６と、ダウンロード要求受信部１７と、二次元コード生成部１８と、電子請求書送信部１９とを有している。
【００２９】
請求情報受信部１１は、加盟店サーバ３０から携帯電話機２０を介して送信された購入代金の支払いに関する請求情報を受信する。また、請求情報受信部１１は、携帯電話機２０を一意に特定するための端末識別コードを移動通信網４０から取得する。この端末識別コードとしては、例えば、携帯電話機２０の電話番号（ＭＳＮ）や、シリアル番号（ＵＴＮ）がある。本実施形態では、これ以降、携帯電話機２０の電話番号を端末識別コードとして説明する。また、請求情報受信部１１により受信される請求情報としては、例えば、加盟店ＩＤ、加盟店請求番号および請求金額がある。また、加盟店ＩＤは、インターネット・ショッピングモールに加盟している加盟店を一意に特定する識別ＩＤである。加盟店請求番号は、請求情報を加盟店ごとに一意に特定する識別番号である。
【００３０】
請求受付画面送信部１２は、請求情報に基づいて請求受付画面を生成するとともに、生成した請求受付画面を携帯電話機２０に送信する。ここで、図２を参照して、請求受付画面について説明する。図２に示すように請求受付画面には、例えば、受付日、請求企業名、請求金額および支払期限が表示される。また、請求受付画面には、電子請求書取得用メールの配信を携帯電話機２０側から電子請求書発行装置１０に依頼するときに選択して確定するための領域ＲＨが設けられている。電子請求書取得用メールとは、二次元コードを用いた電子請求書を電子請求書発行装置１０から取得するためのアドレス情報が本文に組み込まれたメールをいう。アドレス情報とは、例えば、電子請求書を取得するためのアドレスを示すＵＲＬ（Ｕｎｉｆｏｒｍ  Ｒｅｓｏｕｒｃｅ  Ｌｏｃａｔｏｒ）が該当する。なお、電子請求書取得用メールの詳細については後述する。
【００３１】
配信依頼受信部１３は、電子請求書取得用メールを配信するように依頼するメール配信依頼を携帯電話機２０から受信する。請求情報記憶部１４は、請求情報を請求情報データベース（不図示）に登録する。具体的に説明すると、請求情報記憶部１４は、請求情報を一意に特定する請求番号を発行し、この発行した請求番号に対応付けて、例えば、加盟店ＩＤ、加盟店請求番号、請求金額、電話番号、受付日、支払期限を請求情報データベースに登録する。
【００３２】
メール配信部１５は、請求情報データベースに登録されている請求情報に基づいて電子請求書取得用メールを生成し、生成した電子請求書取得用メールを、メール配信依頼を送信してきた携帯電話機２０に対して送信する。
ここで、図３を参照して、電子請求書取得用メールの内容について具体的に説明する。図３に示すように電子請求書取得用メールには、例えば、受付日、請求企業名、請求金額および支払期限が記載される。また、電子請求書取得用メールには、二次元コードを用いた電子請求書のダウンロードを要求するときに選択して確定するための領域ＲＤが設けられている。このダウンロード確定領域ＲＤには、電子請求書を取得するためのＣＧＩ（Ｃｏｍｍｏｎ  Ｇａｔｅｗａｙ  Ｉｎｔｅｒｆａｃｅ）用のアドレス情報（ＵＲＬ）、および電子請求書取得用メールの請求情報に対応する請求番号が埋め込まれている。したがって、このダウンロード確定領域ＲＤを選択して確定すると、携帯電話機２０は、ダウンロード確定領域ＲＤに埋め込まれているＣＧＩ用のＵＲＬにアクセスするとともに、このメールの請求情報に対応する請求番号を認識することになる。
【００３３】
受付完了通知送信部１６は、電子請求書発行装置１０において請求情報の受付処理が完了したことを示す受付完了通知（メッセージ）を加盟店サーバ３０（代金の請求側）に送信する。ここで、請求情報の受付処理には、例えば、請求情報を請求情報データベースに登録する処理や、電子請求書取得用メールを携帯電話機２０に配信する処理が含まれる。また、受付完了通知には、加盟店側サイトでユーザおよび請求情報を識別することができる情報が含まれる。また、受付完了通知送信部１６は、電子請求書発行装置１０において請求情報の受付処理が完了したことを示す受付完了画面を携帯電話機２０に送信する。
【００３４】
ダウンロード要求受信部１７は、二次元コードを用いた電子請求書のダウンロードを要求するダウンロード要求および当該電子請求書に対応する請求番号を携帯電話機２０から受信する。また、ダウンロード要求受信部１７は、ダウンロード要求および請求番号を受信する際に、携帯電話機２０の電話番号を移動通信網４０から取得する。
【００３５】
二次元コード生成部１８は、携帯電話機２０から受信した請求番号に基づいて請求情報データベースから当該請求番号に対応する請求情報を抽出し、この抽出した請求情報に含まれる電話番号と、移動通信網４０から取得した電話番号とを比較することでユーザの認証を行う。また、二次元コード生成部１８は、請求情報データベースから抽出した請求情報に基づいて二次元コードを生成する。ここで、図４を参照して二次元コードの内容について説明する。図４に示すように二次元コードは、請求情報領域部Ａと情報領域部Ｂとに大別される。請求情報領域部Ａには、商品に関連する情報が含まれ、例えば、フラグ、発行企業コード、加盟店ＩＤ、商品コード、再発行区分、２次元コード有効期限、印紙フラグ、請求金額、チェックデジットが含まれる。また、情報領域部Ｂには加盟店側で管理される情報が含まれ、例えば、サービスフラグ、お客様番号、請求年月、消費税、２次元コード有効期限、手数料フラグ、手数料額、企業名、チェックデジットが含まれる。なお、サービスフラグには、二次元コードに含まれる情報の種別を示すフラグが格納される。このフラグの内容により、二次元コードを様々な情報を示すものとして活用することができる。具体的に説明すると、例えば、フラグが“０”の場合には電子請求書、フラグが“１”の場合にはクーポン、フラグが“２”の場合にはチケットとの引き換え、フラグが“３”の場合にはネットショッピングの注文品との引き換え、フラグが“４”の場合には会員証として、二次元コードを活用することができる。これにより二次元コードの使用範囲を拡大することができる。
【００３６】
電子請求書送信部１９は、二次元コードを用いた電子請求書を携帯電話機２０に対して送信する。ここで、図５を参照して、電子請求書の内容について説明する。図５に示すように電子請求書には、例えば、二次元コードＮＣ、請求企業名、請求金額、および支払期限が表示される。また、電子請求書には、この電子請求書を用いて決済することができる有効期限が表示される。この有効期限が経過した電子請求書では決済することができない。電子請求書の有効期限（例えば、受付日の翌日）が経過した場合には、携帯電話機２０側において、再度、電子請求書取得用メールを開き、電子請求書のダウンロード要求を電子請求書発行装置１０に送信する。なお、本実施形態においては有効期限を受付日の翌日に設定しているが、翌日に限る必要はなく任意に設定可能である。
【００３７】
次に、図６を参照して、第１実施形態の通信システム１における電子請求書発行処理の動作を説明する。まず、携帯電話機２０は、ユーザからの操作指示に基づいて加盟店サーバ３０にアクセスする（ステップＳ１）。なお、加盟店サーバ３０へのアクセスは、電子請求書発行サイトを経由することとしてもよい。
【００３８】
次に、携帯電話機２０と加盟店サーバ３０との間で、携帯電話機２０を操作するユーザの正当性を認証するための認証処理が行われる（ステップＳ２）。この認証処理において正当なユーザであることが認められれば、ユーザは、加盟店側サイトのインターネット・ショッピングモールにログインすることができる。
【００３９】
次に、携帯電話機２０と加盟店サーバ３０との間で、インターネットショッピングにおける商品やサービスの選択処理が行われる。その後、ユーザからの操作指示に基づいて商品等が選択され、代金の支払方法として二次元コードを用いた電子請求書による支払いが選択される（ステップＳ３）。
【００４０】
次に、加盟店サーバ３０は、ユーザにより選択された商品に関する情報に基づいて請求情報を生成する（ステップＳ４）。ここで、この請求情報には、例えば、加盟店ＩＤとして“００２３”が、加盟店請求番号として“ＥＡ００３１”が、請求金額として“８００”が含まれていることとする。
【００４１】
次に、加盟店サーバ３０は、生成した請求情報を、携帯電話機２０を経由させて電子請求書発行装置１０に送信する（ステップＳ５）。ここで、請求情報を加盟店サーバ３０から電子請求書発行装置１０に送信する際に、携帯電話機２０を経由させる方法としては、例えば、ＨＴＴＰ（ＨｙｐｅｒＴｅｘｔ  Ｔｒａｎｓｆｅｒ  Ｐｒｏｔｏｃｏｌ）のＰＯＳＴ処理を利用する方法がある。具体的に説明すると、電子請求書発行装置１０は、ＰＯＳＴ処理における転送先のＵＲＬに電子請求書発行装置１０のアドレスを指定して、請求情報を携帯電話機２０に送信する。これにより、加盟店サーバ３０から携帯電話機２０に送信された請求情報が、自動的に携帯電話機２０から電子請求書発行装置１０に転送される。
【００４２】
次に、電子請求書発行装置１０の請求受付画面送信部１２は、加盟店サーバ３０から携帯電話機２０を経由して受信した請求情報に基づいて請求受付画面を生成し、生成した請求受付画面を携帯電話機２０に送信する（ステップＳ６）。
【００４３】
次に、携帯電話機２０は、電子請求書発行装置１０から受信した請求受付画面を画面上に表示する（ステップＳ７）。ここで、請求受付画面には、例えば、受付日として“２００２／１２／０６”が、請求企業名として“（株）Ａ商事”が、請求金額として“８００円”が、支払期限として“２００３／０２／０５”が表示される（図２参照）。
【００４４】
次に、携帯電話機２０は、ユーザの操作指示により請求受付画面のメール配信領域ＲＨ（図２参照）が選択され確定されると、メール配信依頼を電子請求書発行装置１０に送信する（ステップＳ８）。また、携帯電話機２０は、メール配信依頼とともに請求受付画面に表示されている請求情報を電子請求書発行装置１０に送信する。
【００４５】
次に、電子請求書発行装置１０の配信依頼受信部１３は、携帯電話機２０から送信されたメール配信依頼および請求情報を受信する（ステップＳ９）。また、配信依頼受信部１３は、メール配信依頼および請求情報を受信する際に、携帯電話機２０の電話番号を移動通信網４０から取得する。
【００４６】
次に、電子請求書発行装置１０の請求情報記憶部１４は、配信依頼受信部１３により受信された請求情報を一意に特定する請求番号を発行する。そして、請求情報記憶部１４は、発行した請求番号に対応付けて、受付日、支払期限、加盟店ＩＤ、加盟店請求番号、請求金額、電話番号を請求情報データベースに登録する（ステップＳ１０）。
【００４７】
次に、電子請求書発行装置１０のメール配信部１５は、ステップＳ１０で請求情報データベースに登録された請求情報に基づいて電子請求書取得用メールを生成する。なお、電子請求書取得用メールのダウンロード確定領域ＲＤには、電子請求書を取得するためのＣＧＩ用のアドレス情報（ＵＲＬ）、および電子請求書取得用メールの請求情報に対応する請求番号が埋め込まれる。メール配信部１５は、生成した電子請求書取得用メールを、メール配信依頼を送信してきた携帯電話機２０に対して送信する（ステップＳ１１）。
【００４８】
次に、電子請求書発行装置１０の受付完了通知送信部１６は、電子請求書発行装置１０において請求情報の受付処理が完了したことを示す受付完了通知を加盟店サーバ３０に送信する（ステップＳ１２）。このように、受付完了通知送信部１６により受付完了通知が加盟店サーバ３０に送信されることで、加盟店側は、請求情報の受付処理が終了したことを認識することができる。したがって、これ以降、加盟店側は、ユーザにより注文された商品等の確保することができるため、より効率よく在庫管理を行うことが可能となる。
【００４９】
また、受付完了通知送信部１６は、電子請求書発行装置１０において請求情報の受付処理が完了したことを示す受付完了画面を携帯電話機２０に送信する（ステップＳ１３）。
【００５０】
次に、携帯電話機２０は、電子請求書発行装置１０から受信した電子請求書取得用メールの内容を画面上に表示する（ステップＳ１４）。この電子請求書取得用メールには、例えば、受付日として“２００２／１２／０６”が、請求企業名として“（株）Ａ商事”が、請求金額として“８００円”が、支払期限として“２００３／０２／０５”が表示される（図３参照）。
【００５１】
次に、携帯電話機２０は、ユーザからの操作指示により電子請求書取得用メールのダウンロード確定領域ＲＤが選択され確定されると、ダウンロード確定領域ＲＤに埋め込まれているＣＧＩ用のＵＲＬにアクセスする。そして、携帯電話機２０は、電子請求書のダウンロードを要求するダウンロード要求および当該電子請求書に対応する請求番号を電子請求書発行装置１０に送信する（ステップＳ１５）。このように、ユーザは電子請求書を取得するためのＵＲＬ（アドレス情報）を電子請求書取得用メールで管理することができるため、携帯電話機２０を電子請求書取得用メールに含まれるＵＲＬにアクセスさせることにより、容易に電子請求書を取得することができる。
【００５２】
次に、電子請求書発行装置１０のダウンロード要求受信部１７は、携帯電話機２０から送信されたダウンロード要求および請求番号を受信するとともに、携帯電話機２０の電話番号を移動通信網４０から取得する（ステップＳ１６）。
【００５３】
次に、電子請求書発行装置１０の二次元コード生成部１８は、ダウンロード要求受信部１７により受信された請求番号に基づいて請求情報データベースから当該請求番号に対応する請求情報を抽出する。そして、二次元コード生成部１８は、抽出した請求情報に含まれる電話番号と、ダウンロード要求受信部１７により移動通信網４０から取得された電話番号とを比較する。これにより、携帯電話機２０からダウンロードを要求してきたユーザの正当性を認証することができる。
すなわち、請求情報の電話番号と移動通信網４０から取得した電話番号とが一致する場合にのみ、ユーザの正当性が認められ、二次元コードの生成が行われる。
【００５４】
次に、二次元コード生成部１８は、抽出した請求情報に基づいて二次元コードを生成する（ステップＳ１７）。このように、二次元コード生成部１８により、請求情報データベースに記憶された請求情報に基づいて二次元コードが生成されるため、電子請求書取得用メールを取得した携帯電話機２０のユーザは、携帯電話機２０を電子請求書取得用メールに含まれるアドレス情報に対応するアドレスにアクセスさせるたびに、二次元コードを生成させることができる。
【００５５】
電子請求書発行装置１０の電子請求書送信部１９は、二次元コード生成部１８により生成された二次元コードを用いた電子請求書を携帯電話機２０に対して送信する（ステップＳ１８）。
【００５６】
携帯電話機２０は、電子請求書発行装置１０から送信された二次元コードを用いた電子請求書を画面上に表示する（ステップＳ１９）。この電子請求書には、例えば、二次元コードＮＣが表示されるととともに、請求企業名として“（株）Ａ商事”が、請求金額として“８００円”が、支払期限として“２００３／０２／０５”が、有効期限として“２００２／１２／０７”が表示される（図５参照）。
【００５７】
このようにして、ユーザは、二次元コードを用いた電子請求書を取得することができる。取得した電子請求書は、携帯電話機２０のメモリに格納することができる。したがって、電子請求書の有効期限内であれば、メモリに格納した二次元コードをコンビニエンスストア等に設置されているコードリーダーで読み取らせることにより、インターネットショッピングで購入した商品等の代金の決済を行うことができる。
【００５８】
また、メモリに格納した電子請求書を誤って削除してしまった場合や、有効期限が経過してしまった場合でも、ステップＳ１４でアドレス情報を含む電子請求書取得用メールを受信した後は、図６に示すステップＳ１５以降の処理を行うことで電子請求書を取得することができるため、ステップＳ１〜Ｓ１４までの処理を省略することができる。すなわち、ユーザは、加盟店側サイトに再度ログインする操作からやり直す必要はなく、携帯電話機２０の画面上に電子請求書取得用メールを表示させ、ダウンロード確定領域ＲＤを選択して確定する処理（ステップＳ１５）からやり直すだけで電子請求書を取得することができる。これにより、ユーザの負担を軽減させることができる。
【００５９】
なお、上述した図６に示す電子請求書発行処理の動作では、ステップＳ６において、電子請求書発行装置１０が、加盟店サーバ３０から受信した請求情報をデータベース等に登録することなく請求受付画面を携帯電話機２０に送信しているが、請求情報を仮登録用のデータベースに登録することとしてもよい。この場合には、まず、上述したステップＳ６において、例えば、携帯電話機２０の電話番号に対応付けて、請求情報（加盟店ＩＤ、加盟店請求番号、請求金額、受付日、支払期限）を仮登録用のデータベースに登録する。次に、上述したステップＳ９において移動通信網４０から取得した電話番号に基づいて仮登録用のデータベースから、当該電話番号に対応する請求情報を抽出する。そして、上述したステップＳ１０において請求情報を登録する際に、請求番号に対応付けて、仮登録用のデータベースから抽出した請求情報を請求情報データベースに登録することとすればよい。
【００６０】
［第２実施形態］
次に、本発明の第２実施形態について説明する。まず、第２実施形態が、第１実施形態と異なる点は、上述した第１実施形態では、ユーザが携帯電話機２０を操作して商品を購入した後に、この携帯電話機２０に対して電子請求書が送信されるのに対し、第２実施形態では、ユーザがＰＣ端末６０を操作して商品を購入した後に、このＰＣ端末６０のユーザが所有する携帯電話機２０に対して電子請求書が送信される点である。
【００６１】
図７を参照して第２実施形態における通信システム２の構成を説明する。図７に示すように、第２実施形態における通信システム２の構成は、第１実施形態における通信システム１の構成要素に加えて、さらにＰＣ端末６０を備えている点で第１実施形態における通信システム１の構成と異なる。また、第２実施形態における電子請求書発行装置１０Ｓの機能構成は、第１実施形態における電子請求書発行装置１０の機能構成に加えて、さらに携帯情報入力画面送信部１Ａと携帯情報受信部１Ｂとを備えている点で第１実施形態における電子請求書発行装置１０の機能構成と異なる。したがって、それ以外の構成は、第１実施形態における通信システム１の構成と同様であるので、各構成要素には同一の符合を付しその説明は省略すると共に、以下において第１実施形態との相違点について詳述する。
【００６２】
通信システム２に含まれるＰＣ端末６０は、ユーザが使用する周知のパソコンであり、ＰＣ端末６０と電子請求書発行装置１０は、インターネット５０を介して接続される。
【００６３】
電子請求書発行装置１０Ｓの携帯情報入力画面送信部１Ａは、携帯電話機２０に関する携帯情報を入力するための携帯情報入力画面をＰＣ端末６０に送信する。ここで、携帯情報としては、例えば、携帯電話機２０の電話番号およびメールアドレスがある。なお、この携帯電話機２０は、ＰＣ端末６０のユーザが携帯所有する携帯電話機である。
【００６４】
電子請求書発行装置１０Ｓの携帯情報受信部１Ｂは、携帯情報入力画面に入力された携帯情報を携帯電話機２０から受信する。
【００６５】
次に、図８を参照して、第２実施形態の通信システム２における電子請求書発行処理の動作を説明する。なお、第１実施形態における電子請求書発行処理の動作と同一のステップには、同一符号を付すとともに重複する説明は省略する。
【００６６】
まず、ＰＣ端末６０は、ユーザからの操作指示に基づいて加盟店サーバ３０にアクセスする（ステップＳ２１）。
【００６７】
次に、ＰＣ端末６０と加盟店サーバ３０との間で、ＰＣ端末６０を操作するユーザの正当性を認証するための認証処理が行われる（ステップＳ２２）。この認証処理において正当なユーザであることが認められれば、ユーザは、加盟店側サイトのインターネット・ショッピングモールにログインすることができる。
【００６８】
次に、ＰＣ端末６０と加盟店サーバ３０との間で、インターネットショッピングにおける商品やサービスの選択処理が行われる。その後、ユーザからの操作指示に基づいて商品等が選択され、代金の支払方法として二次元コードを用いた電子請求書による支払いが選択される（ステップＳ２３）。
【００６９】
次に、加盟店サーバ３０は、ユーザにより選択された商品に関する情報に基づいて請求情報を生成する（ステップＳ２４）。ここで、この請求情報には、例えば、加盟店ＩＤとして“００２３”が、加盟店請求番号として“ＥＡ００３１”が、請求金額として“８００”が含まれていることとする。
【００７０】
次に、加盟店サーバ３０は、生成した請求情報を、ＰＣ端末６０を経由させて電子請求書発行装置１０に送信する（ステップＳ２５）。なお、請求情報は、例えば、ＳＳＬ（Ｓｅｃｕｒｅ  Ｓｏｃｋｅｔ  Ｌａｙｅｒ）により暗号化されて送信される。また、加盟店サーバ３０から電子請求書発行装置１０に請求情報を送信する際に、ＰＣ端末６０を経由させる方法としては、第１実施形態と同様に、例えば、ＨＴＴＰのＰＯＳＴ処理を利用する方法がある。
【００７１】
次に、電子請求書発行装置１０は、暗号化された請求情報を受信するとともに、この受信した請求情報を復号化する。
【００７２】
次に、電子請求書発行装置１０の携帯情報入力画面送信部１Ａは、携帯情報入力画面をＰＣ端末６０に送信する（ステップＳ２６）。また、携帯情報入力画面送信部１Ａは、請求情報をＰＣ端末６０に送信する。
【００７３】
次に、ＰＣ端末６０は、電子請求書発行装置１０から受信した携帯情報入力画面を画面上に表示する（ステップＳ２７）。ここで、携帯情報入力画面には、携帯電話機の電話番号およびメールアドレスを入力するための項目が表示される。
【００７４】
次に、ＰＣ端末６０は、ユーザの操作指示により携帯情報の送信ボタンが選択され確定されると、携帯情報入力画面に入力された携帯情報、および請求情報を電子請求書発行装置１０に送信する（ステップＳ２８）。
【００７５】
次に、電子請求書発行装置１０の携帯情報受信部１Ｂは、ＰＣ端末６０から送信された携帯情報および請求情報を受信する（ステップＳ２９）。また、携帯情報受信部１Ｂは、受信した携帯情報に含まれる電話番号およびメールアドレスに基づいて、当該携帯情報に対応する携帯電話機が存在するか否かを判定することによりユーザの認証を行う（ステップＳ３０）。この判定により携帯情報に対応する携帯電話機の存在が確認され、ユーザの正当性が認証された場合に、請求受付画面送信部１２は、携帯情報受信部１Ｂにより受信された請求情報および携帯情報に基づいて請求受付画面を生成し、生成した請求受付画面をＰＣ端末６０に送信する（ステップＳ３１）。
【００７６】
次に、ＰＣ端末６０は、電子請求書発行装置１０から受信した請求受付画面を画面上に表示する（ステップＳ３２）。ここで、請求受付画面には、例えば、受付日として“２００２／１２／０６”が、請求企業名として“（株）Ａ商事”が、請求金額として“８００円”が、支払期限として“２００３／０２／０５”が、メールアドレスとして“ａａａ＠ｘｘ．ｊｐ”が、電話番号として“０９０ｘｘｘｘｘｘ”が表示される（図９参照）。
【００７７】
次に、ＰＣ端末６０は、ユーザの操作指示により請求受付画面のメール配信領域ＲＨ（図９参照）が選択され確定されると、メール配信依頼を電子請求書発行装置１０に送信する（ステップＳ３３）。また、ＰＣ端末６０は、メール配信依頼とともに請求受付画面に表示されている請求情報および携帯情報を電子請求書発行装置１０に送信する。
【００７８】
次に、電子請求書発行装置１０の配信依頼受信部１３は、ＰＣ端末６０から送信されたメール配信依頼、請求情報および携帯情報を受信する（ステップＳ３４）。
【００７９】
次に、電子請求書発行装置１０の請求情報記憶部１４は、配信依頼受信部１３により受信された請求情報を一意に特定する請求番号を発行する。そして、請求情報記憶部１４は、発行した請求番号に対応付けて、請求情報（受付日、支払期限、加盟店ＩＤ、加盟店請求番号、請求金額、電話番号、メールアドレス）を請求情報データベースに登録する（ステップＳ３５）。
【００８０】
次に、電子請求書発行装置１０のメール配信部１５は、ステップＳ３５で請求情報データベースに登録された請求情報に基づいて電子請求書取得用メールを生成し、この生成した電子請求書取得用メールを、メール配信依頼を送信してきたＰＣ端末６０のユーザにより指定された携帯電話機２０に対して送信する（ステップＳ３６）。
【００８１】
次に、電子請求書発行装置１０の受付完了通知送信部１６は、電子請求書発行装置１０において請求情報の受付処理が完了したことを示す受付完了通知を加盟店サーバ３０に送信する（ステップＳ１２）。また、受付完了通知送信部１６は、電子請求書発行装置１０において請求情報の受付処理が完了したことを示す受付完了画面をＰＣ端末６０に送信する（ステップＳ３７）。
【００８２】
そして、これ以降のステップＳ１４〜Ｓ１９において行われる動作は、第１実施形態において説明した図６に示すステップＳ１４〜Ｓ１９において行われる動作と同様であるため説明を省略する。
【００８３】
以上のように、ユーザは、電子請求書を取得する対象として特定した携帯電話機２０でアドレス情報を含む電子請求書取得用メールを受信した後は、図８に示すステップＳ１５以降の処理を行うことで電子請求書を取得することができるため、ステップＳ２１〜Ｓ３７およびＳ１４までの処理を省略することができる。
すなわち、ユーザは、加盟店側サイトに再度ログインする操作からやり直す必要はなく、携帯電話機２０の画面上に電子請求書取得用メールを表示させ、ダウンロード確定領域ＲＤを選択して確定する処理（ステップＳ１５）からやり直すだけで電子請求書を取得することができる。これにより、ユーザの負担を軽減させることができる。
【００８４】
なお、上述した第２実施形態における電子請求書発行処理の動作（図８参照）では、ステップＳ２５において、加盟店サーバ３０から電子請求書発行装置１０に請求情報を送信する手段として、ＰＯＳＴ処理を利用しているが、これに限られない。例えば、加盟店サーバ３０から電子請求書発行装置１０に請求情報を送信する手段として、ＧＥＴ処理およびクッキー（Ｃｏｏｋｉｅ）を利用してもよい。具体的に説明すると、電子請求書発行装置１０は、ＧＥＴ処理における転送先のＵＲＬに電子請求書発行装置１０のアドレスおよび請求情報を指定してＰＣ端末６０に送信する。ＰＣ端末６０は、受信したＵＲＬに基づいて、請求情報をクッキー情報としてブラウザに格納するとともに電子請求書発行装置１０にアクセスする。電子請求書発行装置１０は、ＰＣ端末６０から送信されたクッキー情報を受信することで、請求情報を取得する。これにより、加盟店サーバ３０から送信された請求情報が電子請求書発行装置１０に転送される。
【００８５】
また、上述した第２実施形態における電子請求書発行処理の動作（図８参照）では、ステップＳ３０において、電子請求書発行装置１０が、加盟店サーバ３０から受信した請求情報をデータベース等に登録することなく請求受付画面をＰＣ端末６０に送信しているが、第１実施形態において説明したように、請求情報を仮登録用のデータベースに登録することとしてもよい。
【００８６】
なお、上述した各実施形態における電子請求書発行装置１０，１０Ｓは、単一の装置により構成されているが、これに限られず、複数の装置（例えば、サーバ）により構成されていてもよい。すなわち、電子請求書発行装置１０，１０Ｓが有する各機能を単一の装置で実現することとしてもよいし、各機能をいくつかのグループに分けてそれぞれのグループに属する機能を別個の装置で実現することとしてもよい。
【００８７】
最後に、本発明の各実施形態における電子請求書発行装置を実現するためのプログラムについて説明する。図１０は、電子請求書発行装置を実現するためのプログラムを格納する記録媒体の構成図である。記録媒体１００は、電子請求書発行装置用のプログラムを記録するプログラム領域１０１を備えている。このプログラム領域１０１には、電子請求書発行装置用のプログラム１０２が記録されている。電子請求書発行装置用のプログラム１０２は、請求情報受信モジュール１０２ａ、携帯情報入力画面送信モジュール１０２ｂ、携帯情報受信モジュール１０２ｃ、請求受付画面送信モジュール１０２ｄ、配信依頼受信モジュール１０２ｅ、請求情報記憶モジュール１０２ｆ、メール配信モジュール１０２ｇ、受付完了通知送信モジュール１０２ｈ、ダウンロード要求受信モジュール１０２ｉ、二次元コード生成モジュール１０２ｊ、電子請求書送信モジュール１０２ｋとを備えて構成される。ここで、請求情報受信モジュール１０２ａ、携帯情報入力画面送信モジュール１０２ｂ、携帯情報受信モジュール１０２ｃ、請求受付画面送信モジュール１０２ｄ、配信依頼受信モジュール１０２ｅ、請求情報記憶モジュール１０２ｆ、メール配信モジュール１０２ｇ、受付完了通知送信モジュール１０２ｈ、ダウンロード要求受信モジュール１０２ｉ、二次元コード生成モジュール１０２ｊおよび電子請求書送信モジュール１０２ｋのそれぞれを動作させることによって実現する機能は、上記電子請求書発行装置１０，１０Ｓの請求情報受信部１１、携帯情報入力画面送信部１Ａ、携帯情報受信部１Ｂ、請求受付画面送信部１２、配信依頼受信部１３、請求情報記憶部１４、メール配信部１５、受付完了通知送信部１６、ダウンロード要求受信部１７、二次元コード生成部１８、電子請求書送信部１９、におけるそれそれの機能と同様である。
【００８８】
［その他］
本発明に係る電子請求書発行方法は、代金の支払いに関する請求情報を含むコード情報を用いた電子請求書を取得させるためのアドレス情報を、当該電子請求書を必要とする移動通信端末に送信するアドレス情報送信工程と、アドレス情報に対応するアドレスにアクセスした移動通信端末から、電子請求書のダウンロードを要求するダウンロード要求を受信するダウンロード要求受信工程と、ダウンロード要求を送信した移動通信端末に対応する請求情報に基づいて前記コード情報を生成するコード情報生成工程と、生成されたコード情報を用いた電子請求書を移動通信端末に送信する電子請求書送信工程とを備えることを特徴とする。
【００８９】
また、電子請求書発行方法は、請求情報を受信する請求情報受信工程をさらに備え、アドレス情報送信工程は、アドレス情報を、請求情報受信工程において受信された請求情報に対応する移動通信端末に送信させることを特徴とする。
【００９０】
また、電子請求書発行方法は、請求情報を受信する請求情報受信工程と、移動通信端末を特定するための端末特定情報を、当該移動通信端末以外の端末から受信する端末特定情報受信工程とをさらに備え、アドレス情報送信工程は、アドレス情報を、端末特定情報受信工程により受信された端末特定情報に対応する移動通信端末に送信させることを特徴とする。
【００９１】
また、電子請求書発行方法は、請求情報を一意に特定する請求識別コードに対応付けて請求情報を記憶させる記憶工程をさらに備え、アドレス情報送信工程は、アドレス情報に加えて、請求識別コードを送信し、ダウンロード要求受信工程は、ダウンロード要求に加えて、請求識別コードを受信し、生成工程は、ダウンロード要求受信工程において受信された請求識別コードに基づいて記憶工程において記憶された請求情報を抽出し、当該抽出した請求情報に基づいてコード情報を生成することを特徴とする。
【００９２】
また、電子請求書発行方法におけるアドレス情報送信工程は、アドレス情報をメールに含めて送信することを特徴とする。
【００９３】
また、電子請求書発行方法は、アドレス情報送信工程においてアドレス情報が送信されたことを示すメッセージを代金の請求側に通知する通知工程をさらに備えることを特徴とする。
【００９４】
また、電子請求書発行方法におけるコード情報は、二次元コードであることを特徴とする。
【００９５】
本発明に係るプログラムは、コンピュータを、請求情報を受信する請求情報受信手段としてさらに機能させ、アドレス情報送信手段は、アドレス情報を、請求情報受信手段により受信された請求情報に対応する前記移動通信端末に送信させることを特徴とする。
【００９６】
また、プログラムは、コンピュータを、請求情報を受信する請求情報受信手段と、移動通信端末を特定するための端末特定情報を、当該移動通信端末以外の端末から受信する端末特定情報受信手段としてさらに機能させ、アドレス情報送信手段は、アドレス情報を、端末特定情報受信手段により受信された端末特定情報に対応する移動通信端末に送信させることを特徴とする。
【００９７】
また、プログラムは、コンピュータを、請求情報を一意に特定する請求識別コードに対応付けて請求情報を記憶させる記憶手段としてさらに機能させ、アドレス情報送信手段は、アドレス情報に加えて、請求識別コードを送信し、ダウンロード要求受信手段は、ダウンロード要求に加えて、請求識別コードを受信し、生成手段は、ダウンロード要求受信手段により受信された請求識別コードに基づいて前記記憶手段により記憶された請求情報を抽出し、当該抽出した請求情報に基づいてコード情報を生成することを特徴とする。
【００９８】
また、プログラムにより機能させられるアドレス情報送信手段は、アドレス情報をメールに含めて送信することを特徴とする。
【００９９】
また、プログラムは、コンピュータを、アドレス情報送信手段によりアドレス情報が送信されたことを示すメッセージを代金の請求側に通知する通知手段としてさらに機能させることを特徴とする。
【０１００】
また、プログラムに含まれるコード情報は、二次元コードであることを特徴とする。
【０１０１】
【発明の効果】
本発明に係る電子請求書発行装置およびプログラムによれば、コード情報を用いた電子請求書を取得するユーザへの負担を軽減することができる。
【図面の簡単な説明】
【図１】第１実施形態における通信システムの構成図である。
【図２】第１実施形態における請求受付画面の一表示例を示す図である。
【図３】電子請求書取得メールの一表示例を示す図である。
【図４】２次元コードに含まれる内容の一例を示す図である。
【図５】電子請求書の一表示例を示す図である。
【図６】第１実施形態における電子請求書発行処理を説明するフローチャートである。
【図７】第２実施形態における通信システムの構成図である。
【図８】第２実施形態における電子請求書発行処理を説明するフローチャートである。
【図９】第２実施形態における請求受付画面の一表示例を示す図である。
【図１０】記録媒体の構成図である。
【符号の説明】
１，２・・・通信システム、１０，１０Ｓ・・・電子請求書発行装置、１１・・・請求情報受信部、１２・・・請求受付画面送信部、１３・・・配信依頼受信部、１４・・・請求情報記憶部、１５・・・メール配信部、１６・・・受付完了通知送信部、１７・・・ダウンロード要求受信部、１８・・・二次元コード生成部、１９・・・電子請求書送信部、１Ａ・・・携帯情報入力画面送信部、１Ｂ・・・携帯情報受信部、２０・・・携帯電話機、３０・・・加盟店サーバ、４０・・・移動通信網、５０・・・インターネット、６０・・・ＰＣ端末。
【図１】
2004258763.tif 000003
【図２】
2004258763.tif 000004
【図３】
2004258763.tif 000005
【図４】
2004258763.tif 000006
【図５】
2004258763.tif 000007
【図６】
2004258763.tif 000008
【図７】
2004258763.tif 000009
【図８】
2004258763.tif 000010
【図９】
2004258763.tif 000011
【図１０】
2004258763.tif 000012